【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
撮像部の撮像感度を、撮影条件に応じて所定の設定範囲内で自動調整する感度制御部を備える撮像装置を用いた撮影時に使用され、照明光を照射する照明装置であって、
表示部と、
前記感度制御部の前記所定の設定範囲に関する感度範囲情報に基づいて、調光可能範囲の上限値及び下限値の少なくとも一方を演算して前記表示部に表示させる制御部と、を備え、
前記制御部は、前記撮像装置に備えられるとともに前記撮像部の出力に基づいて生成された画像データの輝度値を補正する画像処理部の補正能力に関する補正能力情報に基づいて、前記調光可能範囲を補正して表示すること、を特徴とする照明装置。
【請求項２】
請求項１に記載の照明装置において、
前記撮像装置と通信を行うことによって前記感度範囲情報をこの撮像装置から取得する通信部を備えること、
を特徴とする照明装置。
【請求項３】
請求項１に記載の照明装置において、
前記撮像装置と通信を行うことによって前記感度範囲情報及び前記補正能力情報をこの撮像装置から取得する通信部を備えることを特徴とする照明装置。
【請求項４】
撮像部と、前記撮像部の出力に基づいて生成された画像データの輝度値を補正する画像処理部とを備える撮像装置に対して接続可能に設けられた照明装置であって、
表示部と、
前記画像処理部の補正能力に関する補正能力情報に基づいて、調光可能範囲の上限値及び下限値の少なくとも一方を演算して前記表示部に表示させる制御部と、を備えることを特徴とする照明装置。
【請求項５】
請求項４に記載の照明装置において、
前記撮像装置と通信を行うことによって前記補正能力情報をこの撮像装置から取得する通信部を備えること、を特徴とする照明装置。
【請求項６】
撮影用の照明光を照射する外付型照明装置を使用することができる撮像装置であって、
撮影条件に応じて撮像部の撮像感度を所定の設定範囲内で自動調整する感度制御部と、
表示部と、
前記外付型照明装置と通信を行って前記外付型照明装置からガイドナンバー情報を含む照明装置情報を取得する通信部と、
前記感度制御部の前記所定の設定範囲に関する感度範囲情報及び前記照明装置情報に基づいて、前記外付型照明装置の調光可能範囲の上限値及び下限値の少なくとも一方を演算して前記表示部に表示させる制御部と、
を備える撮像装置。
【請求項７】
撮影条件に応じて撮像部の撮像感度を所定の設定範囲内で調整する感度制御部と、
表示部と、
内蔵型照明光照射部と、
前記感度制御部の前記設定範囲に関する感度範囲情報に基づいて、前記内蔵型照明光照射部の調光可能範囲の上限値及び下限値の少なくとも一方を演算して前記表示部に表示させる制御部と、
外付型照明装置に関する情報を記録する記録部と、を備え、
前記制御部は、前記記録部に記録された情報に基づいて前記外付型照明装置の調光可能範囲を演算し、この演算結果と前記内蔵型照明光照射部の調光可能範囲とを比較可能に前記表示部に表示させることを備える撮像装置。
【請求項８】
請求項６又は請求項７に記載の撮像装置において、
前記撮像部の出力に基づいて生成された画像データの輝度値を補正する画像処理部を備え、
前記制御部は、前記画像処理部の補正能力に応じて前記調光可能範囲を補正して表示すること、を特徴とする撮像装置。
【請求項９】
カメラ本体と、該カメラ本体を用いた撮影時に撮影用の照明光を照射する照明装置とからなるカメラシステムであって、
前記カメラ本体は、
撮影条件に応じて撮像部の撮像感度を所定の設定囲内で自動設定する感度制御部と、
前記撮像部の出力に基づいて生成された画像データの輝度値を補正する画像処理部と、
を備え、
前記照明装置は、
表示部と、
前記カメラ本体と通信を行うことによって、前記感度範囲情報及び前記画像処理部の補正能力情報を前記カメラ本体から取得する通信部と、
前記感度制御部の前記所定の設定範囲に関する感度範囲情報および前記補正能力に基づいて、前記照明装置の調光可能範囲の上限値及び下限値の少なくとも一方を演算して前記表示部に表示させる制御部と、
を備えることを特徴とするカメラシステム。
【手続補正２】
【補正対象書類名】明細書
【補正対象項目名】０００５
【補正方法】変更
【補正の内容】
【０００５】
本発明は、以下のような解決手段により、前記課題を解決する。ここでは理解を容易にするために、本発明の実施形態に対応する符号を付して説明するが、これに限定されるものではない。また、符号を付して説明した構成は、適宜改良してもよく、また、少なくとも一部を他の構成物に代替してもよい。
請求項１の発明は、撮像部（１１）の撮像感度を、撮影条件に応じて所定の設定範囲内で自動調整する感度制御部（１９ｂ）を備える撮像装置（１０）を用いた撮影時に使用され、照明光を照射する照明装置であって、表示部（３３）と、前記感度制御部の前記所定の設定範囲に関する感度範囲情報に基づいて、調光可能範囲の上限値及び下限値の少なくとも一方を演算して前記表示部に表示させる制御部（３６）と、を備え、前記制御部は、前記撮像装置に備えられるとともに前記撮像部の出力に基づいて生成された画像データの輝度値を補正する画像処理部の補正能力に関する補正能力情報に基づいて、前記調光可能範囲を補正して表示すること、を特徴とする照明装置（３０）である。
【手続補正３】
【補正対象書類名】明細書
【補正対象項目名】０００６
【補正方法】変更
【補正の内容】
【０００６】
請求項２の発明は、請求項１に記載の照明装置において、前記撮像装置（１０）と通信を行うことによって前記感度範囲情報をこの撮像装置から取得する通信部（３２）を備えることを特徴とする照明装置（１０）である。
請求項３の発明は、請求項１に記載の照明装置において、前記撮像装置（１０）と通信を行うことによって前記感度範囲情報及び前記補正能力情報をこの撮像装置から取得する通信部（３２）を備えることを特徴とする照明装置（１０）である。
【手続補正４】
【補正対象書類名】明細書
【補正対象項目名】０００７
【補正方法】変更
【補正の内容】
【０００７】
請求項４の発明は、撮像部（１１）と、前記撮像部の出力に基づいて生成された画像データの輝度値を補正する画像処理部（１９ｃ）とを備える撮像装置（１０）に対して接続可能に設けられた照明装置であって、表示部（３４）と、前記画像処理部の補正能力に関する補正能力情報に基づいて、調光可能範囲の上限値及び下限値の少なくとも一方を演算して前記表示部に表示させる制御部（３６）と、を備えることを特徴とする照明装置（３０）である。
請求項５の発明は、請求項４に記載の照明装置において、前記撮像装置と通信を行うことによって前記補正能力情報をこの撮像装置から取得する通信部（３２）を備えること、を特徴とする照明装置（１０）である。
【手続補正５】
【補正対象書類名】明細書
【補正対象項目名】０００８
【補正方法】変更
【補正の内容】
【０００８】
請求項６の発明は、撮影用の照明光を照射する外付型照明装置（３０）を使用することができる撮像装置（１０）であって、撮影条件に応じて撮像部の撮像感度を所定の設定範囲内で自動調整する感度制御部（１９ｂ）と、表示部（１２）と、前記外付型照明装置と通信を行って前記外付型照明装置からガイドナンバー情報を含む照明装置情報を取得する通信部（１４）と、前記感度制御部の前記所定の設定範囲に関する感度範囲情報及び前記照明装置情報に基づいて、前記外付型照明装置の調光可能範囲の上限値及び下限値の少なくとも一方を演算して前記表示部（１２）に表示させる制御部（１９）と、を備える撮像装置（１０）である。
【手続補正６】
【補正対象書類名】明細書
【補正対象項目名】０００９
【補正方法】変更
【補正の内容】
【０００９】
請求項７の発明は、撮影条件に応じて撮像部の撮像感度を所定の設定範囲内で調整する感度制御部（１９ｂ）と、表示部（１２）と、内蔵型照明光照射部（１８）と、前記感度制御部の前記設定範囲に関する感度範囲情報に基づいて、前記内蔵型照明光照射部の調光可能範囲の上限値及び下限値の少なくとも一方を演算して前記表示部に表示させる制御部（１９）と、外付型照明装置（３０）に関する情報を記録する記録部（１７）と、を備え、前記制御部は、前記記録部に記録された情報に基づいて前記外付型照明装置の調光可能範囲を演算し、この演算結果と前記内蔵型照明光照射部（１８）の調光可能範囲とを比較可能に前記表示部（１２）に表示させることを備える撮像装置（１０）である。
請求項８の発明は、請求項６又は請求項７に記載の撮像装置において、前記撮像部（１１）の出力に基づいて生成された画像データの輝度値を補正する画像処理部（１９ｃ）を備え、前記制御部（１９）は、前記画像処理部の補正能力に応じて前記調光可能範囲を補正して表示すること、を特徴とする撮像装置（１０）である。
【手続補正７】
【補正対象書類名】明細書
【補正対象項目名】００１０
【補正方法】変更
【補正の内容】
【００１０】
請求項９の発明は、カメラ本体（１０）と、該カメラ本体を用いた撮影時に撮影用の照明光を照射する照明装置（３０）とからなるカメラシステムであって、前記カメラ本体は、撮影条件に応じて撮像部（１１）の撮像感度を所定の設定囲内で自動設定する感度制御部（１９ｂ）と、前記撮像部（１１）の出力に基づいて生成された画像データの輝度値を補正する画像処理部（１９ｃ）と、を備え、前記照明装置は、表示部（１２）と、前記カメラ本体と通信を行うことによって、前記感度範囲情報及び前記画像処理部の補正能力情報を前記カメラ本体から取得する通信部（３２）と、前記感度制御部の前記所定の設定範囲に関する感度範囲情報および前記補正能力に基づいて、前記照明装置の調光可能範囲の上限値及び下限値の少なくとも一方を演算して前記表示部に表示させる制御部（１９）と、を備えることを特徴とするカメラシステム（１）である。